(57)【要約】  本発明は衣服（１）に関し、より詳細には女性用のアンダーウェア、スポーツウェア、またはスイムウェア衣服（１）に関する。アンダーウェア、スポーツウェア、またはスイムウェア衣服は、側面が開いた構造フレーム（１０）と構造フレームに対する布地カバー（２０）とを含む。構造フレーム（１０）は、衣服を通常使用している着用者に対して前部の輪郭形成ループ（１５）と後部のステム（１２）とを含み、前部の輪郭形成ループ（１５）は、女性着用者の恥丘領域、性器、及び肛門を囲むように適応され、その周縁部は、女性着用者の解剖学的構造に合致して嵌合するように輪郭が付けられている。前部の輪郭形成ループ（１５）の周縁部の一部は、直立位置でまたは歩行中に、着用時に女性着用者の内股筋と張力下で嵌合するように適応されている。後部のステム（１２）は、着用時に女性着用者の大殿筋によって嵌合可能であるように成形されている。前部の輪郭形成ループ（１５）と後部のステム（１２）とは互いに対してバネ付勢配置で形成されて、アンダーウェア、スポーツウェア、またはスイムウェア衣服（１）が女性身体に着用されたときに、後部のステムから前部のフレーム部分へ張力を伝達できるようになっている。
2020521890.tif 000002
【特許請求の範囲】
【請求項１】
女性用のアンダーウェア、スポーツウェア、またはスイムウェア衣服であって、側面が開いた構造フレームと前記構造フレームに対する布地カバーとを含み、前記構造フレームは、前記衣服を通常使用している着用者に対して前部の輪郭形成ループと後部のステムとを含み、
前記前部の輪郭形成ループは、女性着用者の恥丘領域、性器、及び肛門を囲むように適応され、かつ、前記女性着用者の解剖学的構造に合致して嵌合するように輪郭が付けられた周縁部を有し、
前記前部の輪郭形成ループの前記周縁部の一部は、直立位置でまたは歩行中に、着用時に女性着用者の内股筋と張力下で嵌合するように適応され、
前記後部のステムは、着用時に前記女性着用者の大殿筋によって嵌合可能に成形され、
前記前部の輪郭形成ループと前記後部のステムとは互いに対してバネ付勢配置で形成され、前記アンダーウェア、スポーツウェア、またはスイムウェア衣服が前記女性の身体に着用されたときに前記後部のステムから前部のフレーム部分へ張力を伝達可能である、
前記アンダーウェア、スポーツウェア、またはスイムウェア衣服。
【請求項２】
前記後部のステムの遠位端に保護末端部をさらに含み、
前記保護末端部は、前記女性の身体に着用されたときに、前記アンダーウェア、スポーツウェア、またはスイムウェア衣服の実質的な降下を防止するように、前記着用者の殿裂の上方範囲と嵌合するように適応されている、
請求項１に記載のアンダーウェア、スポーツウェア、またはスイムウェア衣服。
【請求項３】
前記保護末端部はハート形である、請求項２に記載のアンダーウェア、スポーツウェア、またはスイムウェア衣服。
【請求項４】
前記保護末端部はシリコーンまたはＵＶ安定化ポリウレタンで形成される、請求項３に記載のアンダーウェア、スポーツウェア、またはスイムウェア衣服。
【請求項５】
前記前部の輪郭形成ループの前記周縁部は、前記恥丘領域を囲むように適応された前部部分と、大陰唇及び肛門を囲むように適応された下方部分とを含む、
請求項１〜４のいずれか１項に記載のアンダーウェア、スポーツウェア、またはスイムウェア衣服。
【請求項６】
前記前部部分は、前記恥丘領域の横方向の範囲と嵌合するように適応された左側及び右側の前部ウィングレットの脇に配置された上部の凹部と、前記着用者の前記恥丘とフィットするように調節された下部のテーパ部分とを含む、
請求項５に記載のアンダーウェア、スポーツウェア、またはスイムウェア衣服。
【請求項７】
前記下方部分の周縁部は、前記着用者の膣と肛門領域との間で女性着用者の前記解剖学的構造と密着して嵌合するように適応された放物線状湾曲を含む、請求項５または請求項６に記載のアンダーウェア、スポーツウェア、またはスイムウェア衣服。
【請求項８】
前記下方部分の前記周縁部は、前記女性の身体に着用されたときに前記着用者の前記内股筋と嵌合するように適応されている、請求項７に記載のアンダーウェア、スポーツウェア、またはスイムウェア衣服。
【請求項９】
前記下方部分は、前記肛門を囲む括約筋領域を囲むように適応された一対の左側及び右側の後部ウィングレットを含む、請求項５〜７のいずれか１項に記載のアンダーウェア、スポーツウェア、またはスイムウェア衣服。
【請求項１０】
前記後部のステムは、前記後部ウィングレットの後部の前記輪郭形成ループの前記下方部分の左側及び右側部分の結合から形成され、
前記後部のステムは、女性着用者の尾骨の前記殿裂及び曲線に合致するように適応されている、
請求項８に記載のアンダーウェア、スポーツウェア、またはスイムウェア衣服。
【請求項１１】
構造フレームは射出成形物の単一部片から形成される、請求項１〜１０のいずれか一項に記載のアンダーウェア、スポーツウェア、またはスイムウェア衣服。
【請求項１２】
前記構造フレームはポリカーボネートから形成される、請求項１１に記載のアンダーウェア、スポーツウェア、またはスイムウェア衣服。
【請求項１３】
布地カバーは綿で形成される、請求項１〜１２のいずれか一項に記載のアンダーウェア、スポーツウェア、またはスイムウェア衣服。
【請求項１４】
前部ウィングレットを保護末端部に接合する１つ以上のストラップを含む、請求項１〜１３のいずれか一項に記載のスポーツウェアまたはスイムウェア衣服。
【発明の詳細な説明】
【技術分野】
【０００１】
本発明は衣服に関し、特に女性用のブリーフタイプのアンダーウェア、スポーツウェア、またはスイムウェア衣服システムに関する。衣服は、スポーツをするかまたは課外活動を行う間にアンダーウェア衣服として着用することもできる。
【背景技術】
【０００２】
従来のソングまたはＧストリングタイプのアンダーウェアでは、先進国世界及び発展途上世界の今日の女性のニーズに対処も適合もしていない。女性は一般的に、身体にぴったりした服（たとえば、タイトフィットのジーンズまたはドレス）を着るとき、ソングまたはＧストリングタイプのアンダーウェアを着用することを選ぶ。なぜならば、このタイプのアンダーウェアであれば、本来ならば着用者の服を通して見えてしまう見た目がよいとは言えないアンダーウェアラインを避けることができるからである。しかし、現在のソングタイプのアンダーウェアには通常、ウエストバンドか、または着用者のヒップに位置するバンドがある。ヒップは、一対のジーンズのウエストバンドの上に出ているのが見えるかまたは体にピッタリしたドレスを通して見えることが多い。しかしながら、ソングタイプのアンダーウェアは、スティックオンタイプのソングアンダーウェア（たとえば、ＵＳ特許出願公開第ＵＳ２０１１００３０１２８号に開示されたもの）以外の唯一の実現可能なアンダーウェアオプションである。このような解決方法は日常使用に対しては非現実的である。
【０００３】
より重要なことは、現在利用できるソングタイプのアンダーウェアのオプションでは、着用者が気付かないことが多い健康上のリスクが着用者にもたらされ得るということである。これは、ソングまたはＧストリングタイプのアンダーウェアを着用するときに付随する障害またはリスクに関する研究または事例証拠が十分でないことに起因する。これは大きな関心事である。なぜならば、卵巣癌及び膣感染症などの健康問題の事例が先進国世界及び発展途上世界の両方で増加しているからである。
【０００４】
ソングまたはＧストリングタイプのアンダーウェア衣服は一般的に、薄いまたは厚い材料片から構成され、これらは衣服の女性着用者の肛門、膣、及び尿道と連続的に接触する。布地の細いまたは太いストリップは、肛門から尿道へ及び／または膣から尿道へ細菌及び糞便が伝わる可能性を増加させ得る導管になる。これは大部分、ソングまたはＧストリングのデザインが原因である。ソングまたはＧストリングは典型的に、平坦（すなわち２次元）で製造されるけれども、凸状で球根状の形（すなわち３次元）の解剖学的構造を覆うことになっている。それらが着用者に適切にフィットしないのはこの２次元構造が原因である。アンダーウェア衣服は、通常の身体の動きによって生じる滑りが原因で着用者の身体の所定の位置から滑る。その結果、薄いまたは厚い材料片は、多くの場合に着用者の殿裂においてくさび形になる可能性があり、不快感が生じる。着用者はソングまたはＧストリングを調整するかまたは位置を変える必要があるため、肛門を尿道または膣とともに覆う細いまたは太いストリップ上に捕らえられた細菌の交差汚染が生じるリスクを冒し、直腸領域から尿道内に膣を介して入る細菌をつたわせることによって尿路感染症（ＵＴＩ）のリスクが増す。大腸菌（腸内細菌）は、結腸内に見られる最も一般的な細菌であり、９０％以上のＵＴＩの原因である。同様に、細菌は膣及び尿道から肛門へ移される可能性もある。細菌が移る方向は、薄いまたは厚い材料片がどの方向に進むのか、すなわち着用者の身体の後部（後方）に向かうのかまたは前部（前方）に向かうのかに依存している。
【０００５】
ソングまたはＧストリングタイプのアンダーウェアを着用すると、さらに多くの健康問題及び健康状態を引き起こすか、または悪化させる可能性があることが分かっている。これらには、ソング材料が非常に敏感な皮膚をこするために、「糸状線維腫」（皮膚が同じスポットで布地によって常にこすられることから生じる軟部組織の小さい積み重ね）が、ソングまたはＧストリングの正確な分布に生じることが含まれる。糸状線維腫はイボのように見え、膣領域では特に心地よくない可能性がある。毎日のようにタイトフィットのソングを着用すると、バルトリン腺（性交中に潤滑を生成する管を含む）の周りの領域を刺激して炎症を起こす可能性がある。管が詰まると、膣の隣の嚢胞も発育する可能性がある。ソングまたはＧストリングが人工繊維（たとえば、合成繊維）で形成されると、湿気を捉えて熱を発生させるため、細菌が多産になるかまたは繁殖するのに理想的なホスト環境が形成される。妊婦が妊娠中にソングまたはＧストリングを着用すると、女性生殖器系において感染するリスクが高くなる。妊娠によって免疫システムが損なわれるため、膣感染症のリスクが高まる可能性がある。ソング及びＧストリングは、肛門組織の起こり得る擦り切れが原因で、外痔に関連付けられていることもある。ソング及びＧストリングは、殿裂にソングが捕らえられると痔を悪化させる可能性があり、その結果、直腸を刺激し、さらに痔に炎症を起こす可能性がある。ソングまたはＧストリングを使用する他の副次的効果としては、鵞口瘡及び膀胱炎が挙げられる。ソングまたはＧストリングを着用する女性の間で両方の症状が最も多いことが、婦人科医によって見出されている。
【０００６】
前述を考慮すれば、アンダーウェアまたはスポーツウェア衣服であって、タイトな服の下に着用するとほとんど見えず、女性の骨盤構造に容易に合致するかまたはマッチし、身体が動く間に動くことはなく、許容レベルの心地よさ、適切な換気、及び漏れからの保護が同時に得られ、通常のまたは活動的な身体の動きを通して適切な被覆が得られ、解剖学的オリフィス（肛門、膣、及び尿道）間の交差汚染によって生じる感染から保護するアンダーウェアまたはスポーツウェア衣服が求められている。
【発明の概要】
【発明が解決しようとする課題】
【０００７】
本発明の目的は、前述の必要性のうちの少なくとも１つを少なくともある程度まで実質的に満たすことである。
【課題を解決するための手段】
【０００８】
本発明によれば、女性用のアンダーウェア、スポーツウェア、またはスイムウェア衣服であって、側面が開いた構造フレームと構造フレームに対する布地カバーとを含み、構造フレームは、衣服を通常使用している着用者に対して前部の輪郭形成ループと後部のステムとを含み、前部の輪郭形成ループは、女性着用者の恥丘領域、性器、及び肛門を囲むように適応され、その周縁部は、女性着用者の解剖学的構造に合致して嵌合するように輪郭が付けられ、前部の輪郭形成ループの周縁部の一部は、着用時に着用者が直立位置でまたは歩行中に内股によって周縁部に圧縮力が加えられるように、女性着用者の内股筋と張力下で嵌合するように適応され、後部のステムは、着用時に女性着用者の大殿筋によって嵌合可能であるように成形され、前部の輪郭形成ループと後部のステムとは互いに対してバネ付勢配置で形成されて、アンダーウェア、スポーツウェア、またはスイムウェア衣服が女性の身体に着用されたときに後部のステムから前部のフレーム部分へ張力を伝達できるようになっている、アンダーウェア、スポーツウェア、またはスイムウェア衣服が提供される。
【０００９】
したがって、本アンダーウェア、スポーツウェア、またはスイムウェア衣服によって、心地よくて目立たないアンダーウェアであって、そのフレームは、女性身体の解剖学的構造に合致し、また着用者から自然に加えられる力を利用してすべての姿勢または身体の動きにおいて自立性の衣服をもたらすように設計されたアンダーウェアが提供される。具体的には、内股によって構造フレームに圧縮力が加えられると、立っているかまたは歩いている位置及び姿勢にある着用者の所定の位置に衣服を保つのに役立つ。後部のステムから前部のフレーム部分へ伝達される張力によって、すべての姿勢または身体の動きにおいて衣服が所定の位置に固定される。アンダーウェア、スポーツウェア、またはスイムウェア衣服は、着用者の自然の動きによって滑ることはない。したがって布地カバーは移動せず、肛門及び膣及び尿道間で細菌が伝わるリスクが減る。構造フレームは側面が開いており、タイトな服を通してパンツラインが見えることを回避している。
【００１０】
一実施形態では、アンダーウェア、スポーツウェア、またはスイムウェア衣服にはさらに、後部のステムの遠位端にある保護末端部が含まれる。保護末端部は、女性身体に着用されたときに殿裂の方へのアンダーウェアまたはスイムウェア衣服の実質的な動きを防止するために着用者の仙骨と嵌合するように適応されている。好ましい実施形態では、保護末端部はハート形である。保護末端部を医療グレードシリコーンまたはＵＶ安定化ポリウレタンから形成してもよい。したがって、たとえ着用者が自分の大殿筋を用いて後部のステムに嵌合することをしていなくても、衣服は所定の位置から実質的に滑らないため、心地よく安心して着用することができる。保護末端部によって、硬い面に対して座るかまたは立っているときに仙骨に心地よいサポートがもたらされ、また着用者が後部のステムの端部から負傷することが防止される。
【００１１】
一実施形態では、前部の輪郭形成ループの周縁部には、恥丘領域を囲むように適応された前部部分と大陰唇及び肛門を囲むように適応された下方部分とが含まれる。前部部分には、恥丘領域の横方向の範囲と嵌合するように適応された左側及び右側の前部ウィングレットによって挟まれた上部の横方向の凹部と、着用者の下部の恥丘領域とフィットするように調節された下部のテーパ部分とが含まれていてもよい。
【００１２】
一実施形態では、下方部分の周縁部には、女性身体に着用されたときに着用者の内股筋と密着して嵌合するように適応された放物線状湾曲が含まれている。膣と肛門領域との間のこのようなフレームの周縁部の正及び負の湾曲（着用者の解剖学的構造にフィットするように調節されている）によって、通常の動きの間に衣服が前後に滑らないことが確実になっている。下方部分の周縁部には好ましくは、肛門を囲む括約筋領域を囲むように適応された一対の左側及び右側の後部ウィングレットも含まれる。
【００１３】
好ましくは、後部のステムは、後部ウィングレットの後方で輪郭形成ループの下方部分の左側及び右側部分の結合から形成される。後部のステムは、女性着用者の殿裂及び尾骨の曲線に従うように適応されている。このように、解剖学的直立または着座姿勢において着用者の大殿筋によって加えられた圧縮力は、アンダーウェア衣服を所定の位置に固定してそれが滑るのを防ぐのに役立つ。
【００１４】
好ましくは、保護末端部はピンによって補強されている。一実施形態では、ピンは３１６マリングレードステンレス鋼で形成されている。好ましくは、布地カバーは綿で、より好ましくは、コーマジャージー綿で形成されている。この材料は通気性があって柔らかく着用者にとって最も心地よい。内部の布地カバーには、着用者の身体から湿気を吸い取るように適応された低アレルギー性オーガニックコットン吸い取り材料ライナが含まれていてもよい。
【００１５】
好ましくは、構造フレームは、材料（より好ましくは、ポリカーボネート材料）の単一の射出成形片から形成されている。
【００１６】
一実施形態では、スポーツウェアまたはスイムウェア衣服には、前部のウィングレットを保護末端部に接合するための１つ以上のストラップが含まれる。
【図面の簡単な説明】
【００１７】
【図１】本発明によるアンダーウェア、スポーツウェア、またはスイムウェア衣服の第１の実施形態の斜視図である。
【図２】図１のアンダーウェア、スポーツウェア、またはスイムウェア衣服の構造フレームの斜視図である。
【図３】図１のアンダーウェア、スポーツウェア、またはスイムウェア衣服の構造フレームの正面図である。
【図４】図１のアンダーウェア、スポーツウェア、またはスイムウェア衣服を衣服の女性着用者上でその場で見た下方の図である。
【図５】女性の筋肉系に、図１のアンダーウェア、スポーツウェア、またはスイムウェア衣服の構造フレームの輪郭を示した概略部分正面図である。
【図６】女性の骨格に、図１のアンダーウェア、スポーツウェア、またはスイムウェア衣服の構造フレームの輪郭を重ね合わせた概略部分正面図である。
【図７】女性の骨格に、図１のアンダーウェア衣服の構造フレームの後部部分の輪郭を重ね合わせて示す概略部分背面図である。
【図８】本発明の第２の実施形態のアンダーウェア衣服の構造フレームを女性の解剖学的構造の正中矢状断面図に重ね合わせた側面概略図である。
【図９】本発明によるアンダーウェア、スポーツウェア、またはスイムウェア衣服の第２の実施形態の斜視図である。
【図１０】図９のアンダーウェア、スポーツウェア、またはスイムウェア衣服の構造フレームの斜視図である。
【図１１】図９のアンダーウェア、スポーツウェア、またはスイムウェア衣服の構造フレームの正面図である。
【図１２】図９のアンダーウェア、スポーツウェア、またはスイムウェア衣服の構造フレームの平面図である。
【図１３】女性の骨格に、図９のアンダーウェア、スポーツウェア、またはスイムウェア衣服の構造フレームの輪郭を重ね合わせた概略部分正面図である。
【図１４】図１のアンダーウェア衣服の保護末端部の第１の実施形態の概略図である。
【図１５】図１５ａ及び１５ｂは、図９のスポーツウェアまたはスイムウェア衣服の保護末端部の第２の実施形態の概略図である。図１５ｃは、後部のステムの拡大概略平面図であり、保護末端部を受け取るためのキー溝またはソケットを示す図である。図１５ｄは、後部のステムの遠位端の拡大概略立面図であり、図１５ｃのキー溝またはソケットの隠れた輪郭を破線で示す図である。
【図１６】図１６ａ及び図１６ｂは、図１または図９のスポーツウェアまたはスイムウェア衣服とともに用いる任意的なストラップループコネクタの第１の実施形態の部分概略図である。
【図１７】図１７ａ及び図１７ｂは、図１または図９のスポーツウェアまたはスイムウェア衣服とともに用いるストラップの概略図である。
【図１８】図９のスポーツウェアまたはスイムウェア衣服とともに用いる任意的なモノフィラメントストラップの第２の実施形態の概略図である。
【図１９】図１８のストラップを図９のスポーツウェアまたはスイムウェア衣服に取り付けて、着用者上でその場で見た概略背面図である。
【図２０】ストラップの第３の実施形態を図１のスポーツウェアまたはスイムウェア衣服の変形に取り付けた概略正面図である。
【図２１】アンダーウェア、スポーツウェア、またはスイムウェア衣服の第１の実施形態の布地カバーの第１のセクションに対するテンプレートの、アンダーウェア、スポーツウェア、またはスイムウェア衣服の構造フレームに取り付ける前の平面図であり、構造フレーム上に重ね合わせた図である。
【図２２】第２の実施形態のアンダーウェア、スポーツウェア、またはスイムウェア衣服の布地カバーの第１のセクションに対するテンプレートの、アンダーウェア、スポーツウェア、またはスイムウェア衣服の構造フレームに取り付ける前の平面図であり、構造フレーム上に重ね合わせた図である。
【図２３】アンダーウェア、スポーツウェア、またはスイムウェア衣服の第１の実施形態の布地カバーの第２のセクションに対するテンプレートの平面図である。
【図２４】アンダーウェア、スポーツウェア、またはスイムウェア衣服の第１の実施形態の布地カバーの第３のセクションに対するテンプレートの平面図である。
【図２５】アンダーウェア、スポーツウェア、またはスイムウェア衣服の第１及び第２の実施形態の内側の布地カバーの第１のセクションに対するテンプレートの、構造フレームに取り付ける前の平面図であり、補強ウェビングループコネクタを含む図である。
【発明を実施するための形態】
【００１８】
図１〜７は、本発明によるアンダーウェア、スイムウェア、またはスポーツウェア衣服１（以下、簡潔にするためにアンダーウェア衣服１と言う）の第１の実施形態の概略図である。図６は、女性の骨格系及び身体輪郭の概略正面図を示し、そこにアンダーウェア、スポーツウェア、及びスイムウェア衣服１の輪郭を重ね合わせている。アンダーウェア、スポーツウェア、またはスイムウェア衣服１はブリーフタイプの衣服である。すなわち、着用者の恥丘領域、性器、及び肛門を覆うようにデザインされ、構造フレーム１０（図２及び図３で最も良く分かる）と柔らかい布地カバー２０（図１及び図４で分かる）とから構成される。構造フレーム１０は、射出成形ポリカーボネートの単一の連続部片を輪郭形成ループ１５に成形したものからなり、その端部は結合して後部のステム１２を形成する。輪郭形成ループ１５の周縁部は、着用者の身体上に位置するように調節され、柔らかい布地カバー２０に覆われて着用者の陰部、性器、及び肛門を被覆するように調節されている。後部のステム１２は、アンダーウェア、スポーツウェア、またはスイムウェア衣服１を着用者の所定の位置に固定するのに役立ち、また布地カバー２０によって覆われている。構造フレーム１０の輪郭形成ループ１５は、着用者に対して前部部分３０と下方部分４０とを有する。前部部分３０と後部のステム１２（下方部分４０によって橋渡しされている）は、図１及び図８でも分かるように、構造フレーム１０の左側または右側から見たときに、バネ付勢配置において互いから凸状に外側に湾曲するように形成されている。図８では、この点で第１の実施形態１と同一のアンダーウェア、スポーツウェア、またはスイムウェア衣服１００の第２の実施形態を示している。
【００１９】
輪郭形成ループ１５の前部部分３０には、着用時に恥丘領域にわたって横方向に延びる上部のフレーム部分５と、着用者の下部の恥丘にフィットするように調節された下部のテーパ部分とが含まれている。衣服１の前方から見ると、上部のフレーム部分５は、その横方向の範囲にわたってゆるやかな凹状湾曲があり、凹状湾曲はその横方向の範囲において着用者の身体に向かって内側に曲がり、また女性身体の恥丘領域にぴったり合うように、垂直方向においてゆるやかな凹部プロファイルを有している。上部のフレーム部分５の横方向の範囲は、恥丘領域の横方向の範囲に位置するようにデザインされた丸みを帯びた前部のウィングレット６、７を形成する。前部のウィングレット６、７は、構造フレーム１０の上部５にわたって横方向に張力を一様に分配して、バネ付勢配置で、フレーム１０に強度を与え、着用者の恥丘領域を覆う。解剖学的に正しい前部部分３０の輪郭が付けられたプロファイルによって、構造フレーム１０はフルウエストバンドの必要なく所定の位置に留まることができる。したがって、アンダーウェア、スポーツウェア、またはスイムウェア衣服１は側面が開いている。構造フレーム１０の前部部分３０の断面プロファイルは、輪郭形成ループ１５の周縁部の全体にわたって変化しており、構造フレーム１０のプロファイルを最小限にするために恥丘領域を取り囲む領域で最も平坦である。これは、アンダーウェア、スポーツウェア、またはスイムウェア衣服１の着用者に対する心地よさ及び柔軟性を増すためであり、ならびに、よりタイトフィットの衣類を着用するときに衣服を隠すためである。
【００２０】
前部の横方向ウィングレット６、７は、着用時に着用者上で構造フレーム１０と嵌合して、身体の動きの全範囲を可能にする。ウィングレット６、７によって、アンダーウェア、スポーツウェア、またはスイムウェア衣服１は、脚骨１８を骨盤１９に接合するソケットの上方で、ヘッセルバッハ三角６０の領域における鼡径靱帯１７の上方の着用者の所定の位置に固定される。その結果、身体がより極端な姿勢を取っている間（たとえば、スポーツ、水泳、または他の運動をする間に脚部が広く広げられている間）に、アンダーウェア、スポーツウェア、またはスイムウェア衣服１が降下することに抵抗する。
【００２１】
前部のウィングレット６、７の下方では、輪郭形成ループ１５の前部部分３０は性器に向かって横方向に狭くなり、そして凸状に湾曲するように外側にかつ着用者の後部に向かって後方に曲がっている。周縁部は、下方部分４０の性器部分２５において陰唇及び性器を取り囲んでいる。性器部分２５では、輪郭形成ループ１５の内部部分４０の左側及び右側が互いに向かってテーパになり、そして着用者の肛門に向かって後方にまた凸状に外側かつ上方に曲がっている。そして輪郭形成ループ１５の周縁部は内側に凹状に曲がって、周縁部が横方向に狭くなることを外側に凸状に再び曲がる前に行って、着用時に着用者の肛門領域（括約筋を含む）を囲む後部ウィングレット４２を形成する。後部ウィングレット４２の後方で、輪郭形成ループ１５の左側及び右側が上方に曲がり、正中矢状面に沿って凹状湾曲を伴ってテーパになって、大殿筋の湾曲を反映し、着用者の正中矢状面に沿って互いに結合して単一のステム１２になる。
【００２２】
したがって、構造フレーム１０の前部部分３０及び内部部分４０の形状は、曲線状プロファイルであり、陰部上に密着するが心地よく合うとともに、その最も低い部分（たとえば、下方の性器部分２５）において、放物線状に湾曲するように成形されて、女性の解剖学的構造に合致し、また通常の立つ姿勢、座る姿勢、または歩く姿勢において着用者の大腿筋によって嵌合することができて、圧縮力「Ｃ」を及ぼすようになっている（図４に示す）。下方の性器部分２５における構造フレームはその横方向の範囲にわたって内部張力「Ｔ」を有しているため、着用者がフレームに圧縮力を及ぼすと、アンダーウェア、スポーツウェア、またはスイムウェア衣服１は着用者の所定の位置に効果的にバネ付勢される。
【００２３】
図７は、女性の骨格系及び身体輪郭にアンダーウェア衣服１の背面図の輪郭を重ね合わせて示す概略背面図である。後部のステム１２が身体の殿裂に沿って延びているのを見ることができる。図２及び８において最も良く分かるように、後部のステム１２は、その遠位端に向かって幅がテーパになり、凸状湾曲が殿裂の自然曲線及び尾てい骨３２から仙骨３５までの着用者の尾骨の曲線に従っている。後部のステム１２は、通常の直立または歩行姿勢において大殿筋３７によって起動された圧縮力によって固定される。
【００２４】
前述したように着用者の大殿筋３７によって圧縮力が加えられる結果、構造フレーム１０の輪郭形成ループ１５の周縁部に単一張力が加えられる場合と比べて、後部のステム１２はアンダーウェア衣服１の着用時にさらなる張力下で保持される。アンダーウェア衣服１は、部分的に前部部分３０と後部のステム１２との間のバネ付勢に起因して、着用者の所定の位置に留まる。前部部分３０に後部のステム１２によって張力が加わり、張力は後部のステム１２から下方部分４０を通って構造フレーム１０の前部部分３０に伝達される。このように構造フレーム１０の後部から前部に張力が一定に伝達されることによって、着用者のすべての姿勢を確実に心地よく適応させることができる。その結果、大殿筋３７が緩まる極端な動きの場合であっても、または通常の動き（たとえば、歩くかまたは走る）を通して受ける大殿筋３７から作用する圧縮力がもはや作用していないときであっても、アンダーウェア衣服を所定の位置に維持することに役立つ。後部のステム１２は、その解剖学的に正しい位置を維持するにもかかわらず、構造フレーム１０のバネ付勢配置によって張力が形成される結果、着用者の身体の近くに留まる。
【００２５】
図１に見られるように、後部のステム１２を形成する２つの周囲部分は接着剤で付けられているかまたは他の方法で互いに接合されており、後部のステム１２はその遠位端で保護末端部１３によって覆われている。図１４に見られるように、保護末端部１３はステンレス鋼インサート１４によって後部のステム１２に固定される。後部のステム１２の遠位端におけるソケットまたはキー溝１６（図１５ｃ及び１５ｄに示す）は、インサート１４を受け取って、保護末端部１３が回転して潜在的に着用者に不快感を生じさせることがないことを確実にする。ソケットまたはキー溝１６の寸法は、約０．５ｍｍ×２ｍｍの面積で１５ｍｍの深さであるに。保護末端部１３には、射出成形された医療グレードシリコーンのハート形状が含まれる。これは、プロファイルが凸状で、着用者の仙骨３５に対して心地よいサポートを与える一方で、硬い表面に対して座ったときにアンダーウェア衣服１の着用者を不快感から保護するクッションとして機能する。着用時に、自然なハート形状は、殿裂に小さいくさびを形成して、アンダーウェア衣服１のどんな大きな降下にもそれ自体を殿裂の上方範囲にくさびで留めることによって抵抗し、同時に、後部のステム１２に張力が作用することによって生じる仙骨３５に対する圧縮力を維持する。一実施形態では、保護末端部１３は、医療グレードシリコーンのＵＶ安定化軟質ポリウレタンを、３１６マリングレードステンレス鋼ピン１４（染色が塩または淡水によって生じることを回避する）によって補強したもので形成される。また保護末端部１３は、着用者をキー溝１６の鋭い遠位端から潜在的な負傷を受けることから保護する。
【００２６】
図８〜１３に示すのは本発明の第２の実施形態１００であり、女性の概略的な女性の骨格系に、本発明の第２の実施形態１００の正面図の輪郭を重ね合わせたものを示す図１３を含む。アンダーウェア衣服１００の第２の実施形態の構造フレーム１１０の前部の横方向ウィングレット１０６、１０７によって、アンダーウェア衣服１００は、第１の実施形態１のウィングレット６、７の場合よりも横方向に広がる大きい表面積にわたって固定される。その結果、着用者は、スポーツを含むより過酷な活動に、アンダーウェア衣服１００が所定の位置から著しく外れるリスクを伴うことなく参加することができる。したがって第２の実施形態は、アンダーウェア衣服１よりも、スイムウェアに適しているかまたはスポーツもしくは他の運動に参加する間に着用することに適している。その他の点では、アンダーウェア衣服１の第１の実施形態とアンダーウェア衣服１００の第２の実施形態とは実質的に同一である。
【００２７】
図１５ａ及び１５ｂに見られるように、スポーツウェアまたはスイムウェア衣服１００には、溶接されたピンが、インサートピン１１４の主軸に直角に、保護末端部１１３に隣接して含まれている。溶接されたピン１５の端部にある開いた円環が、中心に固定円板を有する旋回卵形リング１１５に取り付けられている。旋回卵形リング１１５は、アパーチャ１１６ａ、１１６ｂを有している。アパーチャ１１６ａ、１１６ｂは、任意的なスイムウェアストラップ（たとえば、図１８〜２０に見られるスイムウェアストラップ３８または３９）のフック端部を受け取ることができる。図１８及び１９に示すスイムウェアストラップ３９はそれぞれ、モノフィラメントライン４７に沿って複数の装飾的な要素５０が分散され、平坦な三角形のオープンフック４９がその前端にあり、留め金タイプの留め具５１がその後端にあるものからなる。留め金タイプの留め具５１が調整可能なチェーンに取り付けられており、チェーン自体はモノフィラメントライン４９の後端に取り付けられている。オープンフック４９は、図２５に示して後述するように布地カバー２０に縫い付けられた補強ウェビングループコネクタ５４に取り付けられるように調節されている。留め金タイプの留め具５１は、衣服１００の旋回卵形リング１１５上に固定するように適応されており、チェーンは特定の着用者にフィッティングするように調整可能である。オープンフック４９と留め金タイプの留め具５１とは、マリングレード３１６ステンレス鋼で形成されている。図２０に示すスイムウェアストラップ３８は、テーパ状の端部を有するナイロン横糸で編んだ防水性レースからなる。レースを、衣服１００の前部における補強ウェビングループコネクタ５４を通し、衣服１００の後部における旋回卵形リング１１５を通して、靴ひもを結ぶのと同様の方法で衣服の側面で蝶結びにすることができる。図２０に示すのは、布地カバー２０にループ構造５５が含まれるスポーツウェアまたはスイムウェア衣服１００上での変形である。以下で図２５を参照して説明する補強ウェビングループコネクタ５４に対する代替物としてループ構造５５にストラップ３８を通すことができる。図１６ａ、１６ｂ、１７ａ、及び１７ｂに、スポーツウェアまたはスイムウェア衣服とともに用いる任意的なストラップのさらなる実施形態の部分図を示す。ストラップ３１は、従来のブラストラップで用いられるタイプの補強ナイロンウェビングからなり、塩または淡水の影響を受けない。ループアイ端部（図１７ｂに見られる）を、衣服布地カバー２０の内側の前部面に取り付けるために用いている。
【００２８】
図２１〜２５に布地カバー２０に対するテンプレートを示す。アンダーウェア衣服１、１００の第１及び第２の実施形態の布地カバー２０は、外部織物層２２、内張り２４、及び内側の吸収剤保護層２６からなる。カバー２０は、第１及び第２の実施形態に対して図２１及び２２にそれぞれ示す３つの別個の２次元テンプレート２８、１２８と、図２３及び２４に示すテンプレート４８及び５８とから形成される。図２１に示すのは、アンダーウェア、スポーツウェア、またはスイムウェア衣服の第１の実施形態に対する各層２２、２４、２６に対するテンプレート２８である。外部織物層２２及び内張り２４はテンプレート２８全体にわたっているが、内側の吸収剤保護層２６は、後述するように大陰唇を覆う布地カバー部分にのみわたっている。外部の布地２２は柔らかいコーマ綿材料で形成されている。内側吸収層２６を含む内張り２４は、身体から湿気を吸い取って、汗の中に見出される毒素を身体から外に出せることを確実にし、温度を着用者にとって心地よいレベルに保つようにデザインされた低アレルギー性オーガニックコットン吸い取り材料から形成される。テンプレート２８の外周縁形状は、構造フレーム１０の前部部分３０の周縁部よりもわずかに大きくてそれに概ね対応しているため、フレーム１０をテンプレート２８の外縁に縫い目線３３に沿って縫い付けることができる。内側吸収層２６は材料の２つの部片からなる。それらはテンプレートの対称軸に沿って分離されてそれから外側に曲がり、矢状面に沿って互いに接合されると着用者の大陰唇／外陰領域の湾曲に概ねマッチするパウチを形成する。パウチによって、陰唇領域が覆われて布地から圧力を受けないことが確実になり、また骨盤上口を囲むフレームの位置が維持されることが確実になる。またパウチは、布地のくっつきを最小限にすることによって涼しい環境を形成する。材料の２つの部片の外縁２６ａ、２６ｂの輪郭は、構造フレーム１５の下方部分４０において構造フレーム１０の輪郭形成ループ１５の周縁部に対応するように形成されている。材料の２つの部片の内縁２７ａ、２７ｂを縫い目線３３ａに沿って互いに縫い付けて、パウチを形成する。一実施形態では、テンプレート２８周縁部をＣＡＤプログラムにプログラミングして、材料の自動レーザー切断を可能にし、高レベルの精度を実現し、布地を刃先でシールし、材料の摩滅を最小限にすることができる。
【００２９】
図２２に示すのは、衣服の第２の実施形態の第１の前部のセクションに対するテンプレート１２８である。それは、第２の実施形態の拡張された前部のウィングレット１０６、１０７を覆うためのテンプレート部分を除いて、テンプレート２８と同一である。したがって、テンプレート１２８は、より大きい前部のウィングレットに適応するように比例して拡張されている。
【００３０】
図２３に示すのは、着用者の肛門領域を覆うように適応された布地カバー２０の一部に対するテンプレート４８である。テンプレート４８は、カバー２０の外部織物層２２及び内張り２４に対するものである。テンプレート４８は逆Ｙ形状を有する。逆Ｙ形状の近位端５５は、テンプレート２８または１２８の遠位端に接合するように適応された材料の２つの別個のウィングであり、テンプレート２８または１２８のそれぞれの細い遠位端と同じ幅である。材料の２つの別個のウィングは、構造フレーム１０の後部ウィングレット上に延びて、着用者の肛門を囲む括約筋を被覆するように調節されている。各分岐のウィングレット部分は、ユーザが極端な姿勢であるとき（たとえば、脚部が広く広がったとき）に肛門開口部の幅のほぼ３倍となり、肛門の被覆を確実にし、また身体から出た熱が自由に逃げられるように十分なスペースを与える。着用時に、後部ウィングレットの位置は膣領域の位置よりも垂直方向に高く、膣領域内に形成され得る熱を散逸させるための煙突の様な効果を形成する。テンプレートは、２つの分岐部片の曲線に沿って互いに縫い付けられて、布地カバー２０の第２のセクションに対する３次元形状を形成している。
【００３１】
図２４に示すのは、構造フレーム１０の単一のステム１２に対する布地カバー２０に対するテンプレート５８である。テンプレート５８は、カバー２０の外部織物層２２及び内張り２４に対するものである。テンプレート５８は、狭い遠位部分から、いったん形成されたテンプレート４８への裁縫に適応したわずかに広い近位部分へと外側にテーパになる細長い材料片である。テンプレート５８は、着用者の心地よさが得られるように単一のステム１２の長さにわたって延びている。
【００３２】
テンプレート２８または１２８、４８、及び５８が布地カバー２０の３つのセクションに形成されたら、それらは互いに組み立てられて、構造フレーム１０に嵌まり、それの所定の位置につなぎ合わされる。
【００３３】
図２５に見られるように、布地カバー２０のいくつかの実施形態において、衣服１００をスポーツウェア及びスイムウェアとして用いたときに、補強ウェビングループコネクタ５４を内張り２４の左側及び右側に、任意的なストラップ３９の平坦なフック４９に対する取り付け点として設けることができる。代替的に、コネクタをスイムウェア衣服１００の防水性のナイロンレースアップストラップ３８に対する取り付け点として用いることができる。
【００３４】
アンダーウェア、スポーツウェア、またはスイムウェア衣服１、１００は、衣服業界で知られているように女性のアンダーウェアに対する国際規格サイジングに従って種々のサイズで作ることができる。たとえば、女性のウエスト寸法が６１〜７１ｃｍでヒップ寸法が８６〜９６ｃｍである場合、標準的なＵＳ／カナダサイズは４〜６、英国／オーストラリアは８〜１０、ヨーロッパサイズは３６〜３８、及び国際サイズはＸＳ〜Ｓである。女性のウエスト寸法が７１〜２８ｃｍでヒップ寸法が８６〜９６ｃｍである場合、標準的なＵＳ／カナダサイズは８〜１０、英国／オーストラリアは１２〜１４、ヨーロッパサイズは４０〜４２、及び国際サイズはＭ〜Ｌである。構造フレームの寸法及びその湾曲は、各標準サイズに対する標準的ドレスサイジングに身体サイズがフィットする女性の恥丘領域、陰唇、性器領域、及び殿裂のモールドを鋳造することによって達成されるため、アンダーウェア衣服の構造フレームは着用者の解剖学的構造にぴったりフィットする。
【００３５】
アンダーウェア、スポーツウェア、またはスイムウェア衣服は、第１及び第２の実施形態の両方において、構造フレームの輪郭形状及びバネ付勢によって着用者の所定の位置に維持されるようにデザインされている。フレームの下方部分の周縁部は、大陰唇を覆うように成形されている。膣の後方で、周縁部形状は凸状に内側に曲がる。この後方で、後部ウィングレットは凸状に外側に曲がる。膣と肛門領域との間のフレームの周縁部の正及び負の湾曲（着用者の解剖学的構造にフィットするように調節されている）によって、通常の動きの間に衣服が前後に滑らないことが確実になっている。その結果、膣領域を覆う衣服部分は、肛門領域を覆う衣服部分から分離されたままであり、肛門空洞から膣管へと生ずる細菌間の交差汚染のリスクを防ぐ。現時点で、このことが確実にできる従来のソングまたはＧストリングタイプのアンダーウェアは世界市場にはない。
【００３６】
本発明を、具体例を参照して説明してきたが、当業者であれば分かるように、本発明を他の多くの形態で具体化してもよい。
【符号の説明】
【００３７】
１  衣服
５  上部
５  フレーム部分
６  ウィングレット
７  ウィングレット
１０  フレーム
１２  ステム
１３  保護末端部
１４  インサート
１６  キー溝
１７  鼡径靱帯
１８  脚骨
１９  骨盤
２０  カバー
２６ａ  外縁
２６ｂ  外縁
２７ａ  内縁
２７ｂ  内縁
２８  テンプレート
３０  前部部分
３１  ストラップ
３２  骨
３５  仙骨
３７  大殿筋
３８  ストラップ
３９  ストラップ
４２  後部ウィングレット
４７  モノフィラメントライン
４８  テンプレート
５４  補強ウェビングループコネクタ
５５  近位端
５５  ループ構造
５８  テンプレート
６０  ヘッセルバッハ三角
１００  衣服
１０６  ウィングレット
１０７  ウィングレット
１１０  構造フレーム
１１３  保護末端部
１１４  インサートピン
１１５  旋回卵形リング
１１６ａ  アパーチャ
１１６ｂ  アパーチャ
１２８  テンプレート
【図１】
2020521890.tif 000003
【図２】
2020521890.tif 000004
【図３】
2020521890.tif 000005
【図４】
2020521890.tif 000006
【図５】
2020521890.tif 000007
【図６】
2020521890.tif 000008
【図７】
2020521890.tif 000009
【図８】
2020521890.tif 000010
【図９】
2020521890.tif 000011
【図１０】
2020521890.tif 000012
【図１１】
2020521890.tif 000013
【図１２】
2020521890.tif 000014
【図１３】
2020521890.tif 000015
【図１４】
2020521890.tif 000016
【図１５Ａ】
2020521890.tif 000017
【図１５Ｂ】
2020521890.tif 000018
【図１５Ｃ】
2020521890.tif 000019
【図１５Ｄ】
2020521890.tif 000020
【図１６Ａ】
2020521890.tif 000021
【図１６Ｂ】
2020521890.tif 000022
【図１７Ａ】
2020521890.tif 000023
【図１７Ｂ】
2020521890.tif 000024
【図１８】
2020521890.tif 000025
【図１９】
2020521890.tif 000026
【図２０】
2020521890.tif 000027
【図２１】
2020521890.tif 000028
【図２２】
2020521890.tif 000029
【図２３】
2020521890.tif 000030
【図２４】
2020521890.tif 000031
【図２５】
2020521890.tif 000032
【国際調査報告】
2020521890.tif 000033
2020521890.tif 000034
2020521890.tif 000035